(57)【要約】【課題】筐体に充電池を正確に位置決めでき、浮きやガタつきを抑えながら、容易に取り外し可能とすることができる。【解決手段】携帯電話機１の背面側キャビネット４に充電池６を収容する電池収容部３ａを形成し、充電池６の一端に電池収容部３ａの一端に形成した係合部１１に係合する被係合部１０を設け、充電池６の中央よりも他端側に電池収容部３ａの周縁に形成したボス部３ｃに締結されるビス１３を挿通可能な複数のビス挿通部１２を設ける。このビス挿通部１２にボス部３ｃ外周との間に少なくとも部品公差に相当する隙間Ｃを有し、ボス部３ｃに対して位置決めするガイド部１４を設ける。【選択図】図１
2014220114.tif 000002
【特許請求の範囲】
【請求項１】
矩形板状の充電池を内蔵する電子機器において、
上記充電池を収容する電池収容部が形成された筐体と、
上記充電池の一端に設けられ、上記電池収容部の一端に形成した係合部に係合する被係合部と、
上記充電池の中央よりも他端側に設けられ、上記電池収容部の周縁に形成したボス部に締結されるビスを挿通可能な複数のビス挿通部と、
上記ビス挿通部に形成され、上記ボス部外周との間に少なくとも部品公差に相当する隙間を有し、該ボス部に対して位置決めするガイド部とを備えている
ことを特徴とする電子機器。
【請求項２】
請求項１に記載の電子機器において、
上記ビス挿通部は、上記充電池の一端と他端との間の対向する一対の側面からそれぞれ外側へ突出し、
上記ガイド部は、上記ビスを挿通する貫通孔又は切欠の周囲に形成されている
ことを特徴とする電子機器。
【請求項３】
請求項２に記載の電子機器において、
上記ガイド部の隙間は、一方側の側面では、部品公差に相当し、他方側の側面では一対の貫通孔又は切欠を結ぶ直線方向において該部品公差よりも大きくなっている
ことを特徴とする電子機器。
【請求項４】
請求項２又は３に記載の電子機器において、
上記ビスは、上記筐体に結合される第２の筐体の貫通孔にも挿通され、該第２の筐体と上記充電池とが上記筐体に共締めされている
ことを特徴とする電子機器。
【発明の詳細な説明】
【技術分野】
【０００１】
本発明は、充電池を内蔵する電子機器に関するものである。
【背景技術】
【０００２】
従来より、充電池を内蔵する電子機器として、例えば、特許文献１のように、筐体に設けた凹部の一方端部において、凹部の壁面と充電池の一方端とが嵌り合うことにより固定され、凹部の他方端部において、充電池の他方端を凹部の壁面に押圧するように、固定部材が筐体に固定されるものが知られている。
【先行技術文献】
【特許文献】
【０００３】
【特許文献１】特開２００３−６８２６１号公報
【発明の概要】
【発明が解決しようとする課題】
【０００４】
しかしながら、上記特許文献１の電子機器では、充電池の位置決めを充電池の外形と凹部の壁面とで行うしかなく、位置決め精度が悪く、電池の浮きやガタが生じやすい。
【０００５】
一方で、両面テープで充電池と筐体とを貼り付けると、充電池の交換や再利用が困難となり、コストアップとなる可能性がある。
【０００６】
本発明は、かかる点に鑑みてなされたものであり、その目的とするところは、筐体に充電池を正確に位置決めでき、浮きやガタつきを抑えながら、容易に取り外し可能とすることにある。
【課題を解決するための手段】
【０００７】
上記の目的を達成するために、この発明では、位置決めが容易なビス締結部を設けた。
【０００８】
具体的には、本発明では、矩形板状の充電池を内蔵する電子機器を前提とし、
上記電子機器は、
上記充電池を収容する電池収容部が形成された筐体と、
上記充電池の一端に設けられ、上記電池収容部の一端に形成した係合部に係合する被係合部と、
上記充電池の中央よりも他端側に設けられ、上記電池収容部の周縁に形成したボス部に締結されるビスを挿通可能な複数のビス挿通部と、
上記ビス挿通部に形成され、上記ボス部外周との間に少なくとも部品公差に相当する隙間を有し、該ボス部に対して位置決めするガイド部とを備えている。
【０００９】
上記の構成によると、充電池の一端の被係合部に電池収容部の一端の係合部を係合した状態で、ビス挿通部のガイド部により、ボス部に対して位置決めを行う。ガイド部は、ボス部に対して部品公差以上の隙間を有するので位置決めがしやすく、最終的にはビスを複数のボス部に締結することで充電池が所定位置に確実に固定されてガタつかない。このため、充電池を両面テープなどで貼り付ける必要がなく、ビスを外せば充電池を取り外すことができる。
【発明の効果】
【００１０】
以上説明したように、本発明によれば、充電池の中央よりも被係合部と他端側に、電池収容部の周縁に形成したボス部に締結されるビスを挿通可能な複数のビス挿通部を設け、このビス挿通部にボス部外周との間に少なくとも部品公差に相当する隙間を有し、ボス部に対して位置決めするガイド部を設けたことにより、筐体に充電池を正確に位置決めでき、充電池の浮きやガタつきを抑えながら、容易に取り外し可能とすることができる。
【図面の簡単な説明】
【００１１】
【図１】図３のＩ−Ｉ線断面図及びその一部拡大断面図である。
【図２】携帯電話機の分解斜視図である。
【図３】携帯電話機のリアカバーを外した状態を示す背面図である。
【図４】図３のIV−IV線断面図及びその一部拡大断面図である。
【図５】図３のＶ−Ｖ線拡大断面図である。
【図６】充電池の正面図及びその一部拡大正面図である。
【図７】実施形態の変形例１に係る図１のＡ部相当拡大断面図である。
【図８】実施形態の変形例２に係る図１のＡ部相当拡大断面図である。
【図９】実施形態の変形例３に係る図６のＣ部相当拡大断面図である。
【図１０】実施形態の変形例４に係る図１のＢ部相当拡大断面図である。
【発明を実施するための形態】
【００１２】
以下、本発明の実施形態を図面に基づいて説明する。
【００１３】
図１及び図２は、本発明の実施形態の電子機器としての携帯電話機１を示し、この携帯電話機１は、正面側にタッチパネルを含む表示部２を有し、その表示部２が筐体としての正面側キャビネット３に嵌め込まれている。この正面側キャビネット３の背面側に背面側キャビネット４が結合され、その背面側がリアカバー５で覆われている。
【００１４】
正面側キャビネット３は、例えばステンレス製薄板をプレス成形したフレーム３ｅがインサート成形され、その背面側に略矩形状の電池収容部３ａが形成されている。背面側キャビネット４には、この電池収容部３ａに対応して電池用開口４ａが形成されている。これら電池収容部３ａ及び電池用開口４ａ内に矩形板状の充電池６が収容されるようになっている。電池収容部３ａの左右側壁には、左右に広がる切欠３ｂが形成されている。図１にも示すように、この切欠３ｂ内に円筒状のボス部３ｃが背面側へ延びるように突設されている。ボス部３ｃには、例えば、ビス１３が締結される、金属製のナット３ｄが圧入又はインサート成形されている。図２に示すように、電池用開口４ａにも切欠３ｂに合わせて背面側切欠４ｂが切り欠かれている。図３に示すように、正面側キャビネット３の下側には、充電池６が接続されるメイン基板７が設けられている。なお、図２に示すように、充電池６は、背面側から貼り付けられた防水シート８で防水されている。図５に示すように、充電池６の充電端子６ａは、下端側面に設けられ、メイン基板７に設けた上方へ延びる端子７ａに接続されるようになっている。このため、充電端子６ａを充電池６の正面側又は背面側に設けた場合に比べて携帯電話機１全体の厚さが薄くなっている。
【００１５】
そして、図６に充電池６を正面側から示すように、充電池６の下端には、例えば左右に間隔を空けて例えば矩形板状の一対の被係合部１０が下方に延びるように形成されている。一方、図１のＢ部に拡大して示すように、電池収容部３ａの下端には、左右に間隔を空けて被係合部１０が嵌め込まれる係合部１１が凹陥されている。充電池６を収容するときには、充電池６を側面から見て斜めに傾けて下端側の被係合部１０を係合部１１に嵌め込んだ後、充電池６を電池収容部３ａに押し付けるようにして挿入すればよい。
【００１６】
また、図６に示すように、充電池６の中央よりも上端側の左右側面には、ボス部３ｃに対応して左右に突出する耳状のビス挿通部１２がそれぞれ形成されている。ビス挿通部１２の略中央に設けた貫通孔１２ａの形状は、例えば正面側から見て右側は、ボス部３ｃの直径に部品公差を足した直径の真円とし、左側は、図６に拡大して示すように、左右に長い長円とする。
【００１７】
そして、ビス挿通部１２には、ボス部３ｃに対して位置決めするガイド部１４が設けられている。ガイド部１４の構成として例えば本実施形態では、ビス挿通部１２の正面側のビス１３を挿通する貫通孔１２ａの周囲から所定の間隔を空けて膨出する膨出部が設けられている。膨出部内面とボス部３ｃ外周との間には、少なくとも部品公差に相当する隙間Ｃが形成されている。具体的には、図４に示すように、この正面から見て右側のガイド部１４の隙間Ｃを部品公差に相当するのもとし、左側の隙間Ｃ'を部品公差よりも大きくしたことにより（Ｃ'＞Ｃ）、特に左右方向で部品公差以上のずれでも吸収することができるので、位置決めが容易となっている。なお、上下方向は、充電端子６ａと端子７ａとの電気的接合が必要であり、部品公差以上の隙間は設けないのが望ましい。
【００１８】
また、充電池６の下端の被係合部１０に電池収容部３ａの下端の係合部１１を係合した状態で、ビス挿通部１２のガイド部１４により、ボス部３ｃに対して位置決めを行うようにしたことにより、ガイド部１４がボス部３ｃに対して部品公差以上の隙間を有するので、位置決めがしやすくなる。そして、最終的にはビス１３を左右一対のボス部３ｃに締結することで充電池６が所定位置に確実に固定されてガタつかない。このため、充電池６を両面テープなどで貼り付ける必要がなく、ビス１３を外せば充電池６を取り外すことができる。
【００１９】
また、ビス挿通部１２を左右側面からそれぞれ外側へ突出させ、ガイド部１４をビス１３を挿通する貫通孔１２ａの周囲に形成したことにより、単にガイド部１４を有さないビス挿通部を被係合部１０と対向する上端に設けるよりも位置決めの自由度を高くすることができ、また左右の対向する位置に設けることで充電池６を確実に定位置に固定できる。
【００２０】
したがって、本実施形態に係る電子機器によると、充電池６の中央よりも上端側に、電池収容部３ａの周縁に形成したボス部３ｃに締結されるビス１３を挿通可能な一対のビス挿通部１２を設け、このビス挿通部１２にボス部３ｃ外周との間に少なくとも部品公差に相当する隙間Ｃを有してボス部３ｃに対して位置決めするガイド部１４を設けたことにより、背面側キャビネット４に充電池６を正確に位置決めでき、充電池６の浮きやガタつきを抑えながら、容易に取り外し可能とすることができる。
【００２１】
−実施形態の変形例１−
図７は本発明の実施形態の変形例１を示し、ガイド部１１４の構成が異なる点で上記実施形態と異なる。なお、以下の各変形例では、図１〜図６と同じ部分については同じ符号を付してその詳細な説明は省略する。
【００２２】
すなわち、本変形例では、第２の筐体としての背面側キャビネット４の背面側切欠４ｂの部分を凹陥させてその中央にビス挿通用貫通孔１０４ｂを貫通させ、このビス挿通用貫通孔１０４ｂ内にボス部３ｃが挿通されている。ビス挿通部１２の貫通孔１２ａにビス１３を挿通してナット３ｄに締結することで、充電池６は背面側キャビネット４と共締めされる。このように、背面側キャビネット４と充電池６とを正面側キャビネット３に共締めするようにすれば、さらに充電池６がガタつかない。
【００２３】
−実施形態の変形例２−
図８は本発明の実施形態の変形例２を示し、ガイド部２１４の構成及び背面側キャビネット４とビス挿通部１２との締結手順が異なる点で上記変形例１と異なる。
【００２４】
すなわち、本変形例のガイド部２１４は、ビス挿通部１２の正面側に形成されたザグリよりなる。例えば、ガイド部２１４は、充電池６の樹脂部分に容易に一体成形することができる。
【００２５】
本変形例では、ボス部３ｃに対してガイド部２１４で位置決めし、その背面側に配置されたビス挿通用貫通孔２０４ｂ及び貫通孔１２ａにビス１３を通してナット３ｄに締結する。
【００２６】
本変形例でも、充電池６の浮きやガタつきを抑えながら、容易に取り外し可能とすることができる。
【００２７】
−実施形態の変形例３−
図９は本発明の実施形態の変形例３を示し、ビス挿通部３１２の形状が異なる点で上記実施形態と異なる。
【００２８】
すなわち、本実施形態では、少なくとも一方のビス挿通部３１２は、貫通孔１２ａではなく、切欠３１２ａを有する。切欠３１２ａは、左右外側に開口しており、その周囲を囲むように間隔を空けてガイド部３１４が膨出している。例えば、左右一方のビス挿通部３１２に切欠３１２ａを設け、他方のビス挿通部１２には真円の貫通孔１２ａを設ければよい。
【００２９】
本変形例では、特に左右方向の部品公差を吸収しやすい。
【００３０】
−実施形態の変形例４−
図１０は本発明の実施形態の変形例４を示し、被係合部４１０の構成が異なる点で上記実施形態と異なる。
【００３１】
すなわち、本変形例の被係合部４１０は、充電池６の下端に間隔を空けて一体に凹陥した凹部で構成され、係合部４１１は、電池収容部３ａにおける、被係合部４１０に対応する位置に形成され、被係合部４１０に嵌め込まれる突起よりなる。
【００３２】
この構成によれば、簡単な構成で充電池６のガタつきを防ぐことができる。
【００３３】
（その他の実施形態）
本発明は、上記実施形態について、以下のような構成としてもよい。
【００３４】
上記実施形態では、左右一対のビス挿通部１２を設けたが、左右いずれか一方にのみ部品公差以上の隙間Ｃ'を有するビス挿通部１２を設けてもよい。
【００３５】
上記実施形態では、充電池６の長手方向下端に被係合部１０，４１０を設けているが、充電池６の幅方向の一方の端部に設けてもよい。その場合には、ビス挿通部１２，３１２は、充電池６の長手方向の両側面の少なくとも一方に設けるとよい。
【００３６】
上記実施形態では、電子機器は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３８】
１      携帯電話機（電子機器）
２      表示部
３      正面側キャビネット（第２の筐体）
３ａ    電池収容部
３ｂ    切欠
３ｃ    ボス部
３ｄ    ナット
３ｅ    フレーム
４      背面側キャビネット（筐体）
４ａ    電池用開口
４ｂ    背面側切欠
５      リアカバー
６      充電池
６ａ    充電端子
７      メイン基板
７ａ    端子
８      防水シート
１０      被係合部
１１      係合部
１２      ビス挿通部
１２ａ    貫通孔
１３      ビス
１４      ガイド部
１０４ｂ    ビス挿通用貫通孔
１１４      ガイド部
２０４ｂ    ビス挿通用貫通孔
２１４      ガイド部
３１２      ビス挿通部
３１２ａ    切欠
３１４      ガイド部
４１０      被係合部
４１１      係合部
【図１】
2014220114.tif 000003
【図２】
2014220114.tif 000004
【図３】
2014220114.tif 000005
【図４】
2014220114.tif 000006
【図５】
2014220114.tif 000007
【図６】
2014220114.tif 000008
【図７】
2014220114.tif 000009
【図８】
2014220114.tif 000010
【図９】
2014220114.tif 000011
【図１０】
2014220114.tif 000012